(57)【要約】      （修正有）【課題】熟練を要することなく簡単に塩を錐形状に盛り、なおかつ計量もでき、また柄部が容器本体と角度がついているため、小皿がどのような形状でもぶつからない容器を提供する。【解決手段】容器本体１１及び柄部１２を有し、容器本体１１は錐形状をしており、目盛り１４が付いている。【選択図】図１
0003179835.tif 000002
【実用新案登録請求の範囲】
【請求項１】
小皿の上に少量の塩を盛るのに使用する成形器であって、錐形状の容器本体と柄部から成り、容器本体には塩を計量する目盛りが付されている事を特徴とする、塩を錐形状に盛り、なおかつ計量もできる容器。
【請求項２】
前記柄部は、容器本体の開口部の一部に接続されていて、開口部の反対側に所定角度傾いていることを特徴とする、請求項１記載の塩を錐形状に盛り、なおかつ計量もできる容器。
【考案の詳細な説明】
【技術分野】
【０００１】
本考案は塩を錐形状に盛り、計量もできる容器に関する。
【背景技術】
【０００２】
従来、錐形状の容器で塩を盛っていた。この場合、塩の入っている容器からスプーンなど使い、錐形状の容器に入れ皿などに逆さにして盛り塩をしていた為、手間と時間がかかる。（特許文献１参照）
【先行技術文献】
【特許文献】
【０００３】
【特許文献１】実用新案登録第３０８２３３２号
【特許文献２】特許第４８５８７３５号
【考案の概要】
【考案が解決しようとする課題】
【０００４】
しかしながら、従来の塩を錐形状に盛るには、以下の問題があった。
（１） 塩の保存容器の蓋を開け、その容器から利き手で持ったスプーンなどで塩をすくいもう一方の手で持った錐形状の容器に塩を移し、その塩の入った容器を皿などにさかさにし、盛り塩を作るため、何度も塩を移し替える作業の手間と時間がかかるし、塩をこぼしてしまう。
（２） 塩の保存容器にスプーンがあったとしても、塩の計量ができるが錐形状にもることができない場合と、塩を錐形状に盛る事ができるが計量できない場合がある。
（３）盛り塩をする場合の小皿はさまざまな形状であり、平らな皿でない場合はスプーンの柄が小皿の一部にぶつかってしまう。
本考案は、ひとつの容器で塩の計量もでき、錐形状に塩を盛ることができる容器を提供することを目的とする。また柄部が容器本体と角度がついているため、小皿がどのような形状でもぶつからない事を目的とする。
【課題を解決するための手段】
【０００５】
本考案は、塩を錐形状に盛り、なおかつ計量もできる容器であり、小皿の上に少量の塩を盛るのに使用する成形器であって、成形器本体は先細りの錐形をしている。ここで、錐形とは円錐形及び角錐形（三角錐・八角錐）は当然ふくむ他、疑似円錐形、疑似角錐形（例えば、各円錐・角錐の側面が平面でなく凹面又は、凸面となっているもの）を含む。また、縁起物（招き猫・だるま・蛇・ふくろう・干支など）を模った物も含む。先細りの錐形とは、全体が錐形部となっていても良いし、中央部分のみが錐形部となっていても良いことをいう。また、容器本体の材質は、木材を使用するのが好ましいが、腐食しにくい金属（ステンレス・鋳物も含む）、プラスチック、セラミック（例えば、陶器や磁器）の何であっても良い。
【０００６】
本考案は、塩を錐形状に盛り、なおかつ計量もできる容器の本体の一部に柄部を有している。柄部の形状は、長方形や楕円形など、どのような形状であっても良いものとする。また、容器本体と柄部は一体となっていても、一体となっていなくても良いものとする。（製作するうえで必要であれば、平面部・接着部・切り込み部などを設けてもよい）柄部の材質も容器本体同様とする。
【考案の効果】
【０００７】
上述したように本考案の塩を錐形状に盛り、なおかつ計量もできる容器は、簡単に錐形状に盛ることができ、また計量もできる容器を提供できる。
【図面の簡単な説明】
【０００８】
【図１】(A)は本考案の第一実施形態を示す塩を錐形状に盛り、なおかつ計量もできる容器の断面図、(B)は同容器の斜視図
【図２】(A)は本考案の第二実施形態を示す塩を錐形状に盛り、なおかつ計量もできる容器の側面図、(B)は塩を錐形状に盛り、なおかつ計量もできる容器によって形成された盛り塩の正面図
【図３】(A)は本考案の塩を錐形状に盛り、なおかつ計量もできる容器を小皿の上にのせた時の断面図、(B)は本考案の塩を錐形状に盛り、なおかつ計量もできる容器によって形成された盛り塩と小皿の断面図
【考案を実施するための形態】
【０００９】
以下、本考案の実施の形態を図１〜図３基づいて説明する。
【００１０】
図１(A)に示すように、本考案の第１の実施の形態に係る、塩を錐形状に盛り、なおかつ計量もできる容器１０は、先細りの錐形部の一例である円錐形の容器本体１１と柄部１２で構成されている。円錐形の本体の頂角αは例えば３０〜６０度となっている。また容器本体１１の上側端部は開口部１３となっていて、開口部１３の直径は、例えば２０〜６０ｍｍ程度となっている。また容器本体１１の一例である円錐形の高さも例えば２０〜６０ｍｍ程度となっている。柄部１２は開口部１３の一部に設けられているが、この時開口部１３と柄部１２は、必ず水平ではなく、角度β（例えば５〜８０度）をつける。
従って、この塩を錐形状に盛り、なおかつ計量もできる容器１０を使用する場合には、
所定の量の塩（食塩）を用意し、塩を錐形状に盛り、なおかつ計量もできる容器１０の
開口部１３が上になるようにして、容器本体１１に一杯の塩を入れ、盛り塩をしようとする小皿１５に今度は開口部１３を下にして、塩を錐形状に盛り、なおかつ計量もできる容器１０を被せる。この時、開口部１３と柄部１２が水平でなく、角度がついている事により、小皿１５にぶつからない状態になる。（図３（A）参照）
この状態で塩を錐形状に盛り、なおかつ計量もできる容器１０を持ち上げると、小皿１５の上に円推状の盛り塩が形成される。図３の(B)において、塩が小皿に盛りつけられた状態の断面図を示す。（以上の数字例は、以下の実施の形態でも実質的に同じ）
【００１１】
図１(B)に示すように、本考案の第１の実施の形態に係る、塩を錐形状に盛り、なおかつ計量もできる容器１０は、錐形部の容器本体１１の容量を設定することで、いつでも同じ量の盛り塩を作ることができる。（例えば１０ｇなどであり、何ｇでもよい）また、錐形部の内側に目盛り１４を付けることで、塩の分量を量れるようにすることもでき、料理の時などには計量することもできる。（以上の数字例は、以下の実施の形態でも実質的に同じ）
従って、盛り塩をするのに必要な容器と、料理の時の塩を計量する器具を２個用意することなく、この塩を錐形状に盛り、なおかつ計量もできる容器１０を１個用意することにより、盛り塩をする場合や料理の時の塩の計量をする場合のどちらでも使用可能であり便利である。
【００１２】
図２(A)には、本考案の第２の実施の形態に係る塩を錐形状に盛り、なおかつ計量もできる容器１６を示す。また、図２(B)には概容器により形成された盛り塩の形態を示す。前記    実施の形態においては、錐形部は円錐形であったが、角錐形（三角錐・八角錐）は当然ふくむ他、疑似円錐形、疑似角錐形（例えば、各円錐・角錐の側面が平面でなく凹面又は、凸面となっているもの）を含む。また、盛り塩の盛る形は決まりがない事から、縁起物を模った形状も含む。ここで縁起物を模った形とは、例えば招き猫・だるま・蛇・ふくろう・干支などである。
使用方法や数字例は、第１の実施の形態に係る塩を錐形状に盛り、なおかつ計量もできる容器１０と同一である。
【００１３】
前記実施の形態においては、錐形部の頂部は必ずしも尖らす必要はない。なお、容器本体１６の外側表面や、柄部１２の部分には縁起物（招き猫・だるま・蛇・ふくろうなど）や干支を構成する１２種類の動物の絵の全部又は一部が記載されている、または錐形部の外側表面や柄部に凸凹模様を入れることもできる。また、装飾部を更に複雑な形状（例えば、平面視して軸対称の花柄模様）にする場合も本考案は適用される。
これらの絵は単に絵の具で描かれていてもよいし、刻設又は焼印されてもよい。
使用方法や数字例は、第１の実施の形態に係る塩を錐形状に盛り、なおかつ計量もできる容器１０と同一である。
【符号の説明】
【００１４】
１０  塩を錐形状に盛り、なおかつ計量もできる容器
１１  容器本体
１２  柄部
１３  開口部     
１４  目盛り
１５  小皿
１６  容器本体
【図１】
0003179835.tif 000003
【図２】
0003179835.tif 000004
【図３】
0003179835.tif 000005